(57)【特許請求の範囲】
【請求項１】
ディスク上から読取信号を検出するディスクドライバと、
前記読取信号から主映像と副映像を復号するＭＰＥＧデコーダと、
前記ＭＰＥＧデコーダが復号した前記副映像から字幕を抽出し、現在再生中の字幕を中心に、一つ前の字幕乃至所定数前の字幕、及び、一つ先の字幕乃至所定数先の字幕を検出し、字幕の始まる先頭のアドレスを記憶領域に記憶しておくメモリ部と、
キーの押下を検出すると、前記メモリ部が記憶しておいたアドレスへ再生位置をジャンプさせてそこから前記主映像を再生するべく制御する制御部と、
を具備することを特徴とする映像再生装置。
【請求項２】
前記制御部は、戻しキーを一度押すことで一つ前の字幕の再生位置へ、戻しキーを二度押すことで二つ前の字幕の再生位置へ、戻しキーを三度押すことで三つ前の字幕の再生位置へ再生位置を移動し、同様に、送りキーを一度押すことで一つ先の字幕の再生位置へ、送りキーを二度押すことで二つ先の字幕の再生位置へ、送りキーを三度押すことで三つ先の字幕の再生位置へ、前記メモリ部が記憶しているアドレスに応じて再生位置を移動するべく制御することを特徴とする請求項１記載の映像再生装置。
【請求項３】
前記制御部は、前記副映像情報のどのような変化を検出させて制御をさせるかを、オペレーションパネルを介した設定画面から設定することを特徴とする請求項１記載の映像再生装置。
【請求項４】
映像信号から主映像と副映像とを復号して再生する再生部と、
前記ＭＰＥＧデコーダが復号した前記副映像から字幕を抽出し、現在再生中の字幕を中心に、前後の字幕を検出し、それらの字幕の始まる先頭のアドレスを記憶領域に記憶しておくメモリ部と、
キーの押下を検出すると、前記メモリ部が記憶しておいたアドレスへ再生位置をジャンプさせてそこから前記主映像を再生するべく前記再生部を制御する制御部と、
を具備することを特徴とする映像再生装置。
【請求項５】
ディスク上から読取信号を検出し、
前記読取信号から主映像と副映像とを復号し、
前記復号した前記副映像から字幕を抽出し、現在再生中の字幕を中心に、一つ前の字幕乃至所定数前の字幕、及び、一つ先の字幕乃至所定数先の字幕を検出し、字幕の始まる先頭のアドレスを記憶領域に記憶し、
キーの押下を検出すると、前記記憶しておいたアドレスへ再生位置をジャンプさせてそこから前記主映像を再生するべく制御することを特徴とする映像再生方法。
【請求項６】
前記制御は、戻しキーを一度押すことで一つ前の字幕の再生位置へ、戻しキーを二度押すことで二つ前の字幕の再生位置へ、戻しキーを三度押すことで三つ前の字幕の再生位置へ再生位置を移動し、同様に、送りキーを一度押すことで一つ先の字幕の再生位置へ、送りキーを二度押すことで二つ先の字幕の再生位置へ、送りキーを三度押すことで三つ先の字幕の再生位置へ、前記メモリ部が記憶しているアドレスに応じて再生位置を移動するべく制御することを特徴とする請求項５記載の映像再生方法。
【請求項７】
前記制御部は、前記副映像情報のどのような変化を検出させて制御をさせるかを、オペレーションパネルを介した設定画面から設定することを特徴とする請求項５記載の映像再生方法。
【請求項８】
映像信号から主映像と副映像とを復号し、
前記復号した前記副映像から字幕を抽出し、現在再生中の字幕を中心に、前後の字幕を検出し、それらの字幕の始まる先頭のアドレスを記憶領域に記憶し、
キーの押下を検出すると、前記記憶しておいたアドレスへ再生位置をジャンプさせてそこから前記主映像を再生するべく制御することを特徴とする映像再生方法。
【発明の詳細な説明】
【０００１】
【発明の属する技術分野】
本発明は、記録媒体に記録された映像及び音声を再生する映像再生装置に関し、特に再生中の戻し機能及び送り機能を有する映像再生装置に関する。
【０００２】
【従来の技術】
最近、デジタル画像情報を扱う映像記録再生装置の開発・普及が進んでおり、記録映像の高画質化だけでなく、操作系についても高い付加価値が要求されてきている。例えば、従来の映像記録再生装置において、ユーザが映像の再生中に少し前まで戻ったところから再生をやり直したい場合、これは例えば、ユーザが映像の再生中に少しの間目を離してしまったような場合の操作を考える。この時、再生位置を少し手前に戻す方法としては、巻き戻し再生や、事前に決まっている位置までのスキップ、又はユーザが再生位置の時間を指定する等の方法がある。
【０００３】
このような操作技術に類似した引用文献として、特開平０７−３０７９２９号公報において、文字信号が挿入されている磁気テープを扱う画像再生装置での頭出し処理について述べられている。すなわち、文字信号の各先頭位置の磁気テープの位置情報がそれぞれ記録されており、文字情報を見失った際にボタン操作によりこれを呼び出す方法について述べられている。
【０００４】
【発明が解決しようとする課題】
しかし上述した従来装置においては、磁気テープに記録されたアナログ映像信号に文字信号が挿入されている場合の呼び出し方法について述べたものであり、デジタル映像情報及びデジタル音声情報の再生処理を所望の量だけ少し戻して再生する方法については述べられていないという問題がある。
【０００５】
本発明は、映像再生装置においてＭＰＥＧ（Ｍｏｖｉｎｇ  Ｐｉｃｔｕｒｅ  Ｅｘｐｅｒｔｓ  Ｇｒｏｕｐ）等のデジタル映像情報等について、再生開始位置を簡単な操作で所望の程度だけ戻すことができる映像再生装置とこの方法を提供することを目的とする。
【０００６】
【課題を解決するための手段】
本発明は上記課題を解決するべく、ディスク上から読取信号を検出するディスクドライバと、前記読取信号から主映像と副映像と音声信号とを復号するＭＰＥＧデコーダと、前記ＭＰＥＧデコーダが復号した前記副映像から字幕を抽出し、現在再生中の字幕を中心に、一つ前の字幕乃至所定数前の字幕、及び、一つ先の字幕乃至所定数先の字幕を検出し、字幕の始まる先頭のアドレスを記憶領域に記憶しておくメモリ部と、キーの押下を検出すると、前記メモリ部が記憶しておいたアドレスへ再生位置をジャンプさせてそこから前記主映像を再生するべく制御する制御部とを具備することを特徴とする映像再生装置である。
【０００７】
本発明はこのような副映像の字幕情報を検出して制御することにより、従来のスキャンキーや早戻しキーでは容易に行えなかった、映像を少しだけ戻すという操作を手軽に行うことができる。すなわち、スキャンキーではチャプタ単位で映像を戻すことになり、早戻しキーでは本格的に映像を戻すことになるため、１０秒程度とか、ＭＰＥＧの副映像の変化、例えば、映画の字幕ごとの戻しを行うことができない。本発明においては、上記の副映像の字幕の始まる先頭アドレスを再生実施中に検出および記憶しておくことで、本発明に特有の戻しキーの操作により、セリフ１つ分だけ再生位置を瞬時に呼び出すことが容易に可能となる。
【００１０】
【発明の実施の形態】
以下、図面を用いて本発明に係る映像再生装置の位置実施形態について詳細に説明する。
【００１１】
＜第１の実施形態＞
第１実施形態は、映像情報の主映像及び副映像の変化点を検出し、キー操作により瞬時に呼び出すものである。図１は、本発明に係る戻しキー及び送りキーを有するリモコンの一実施の形態を示す外観図、図２は、本発明に係る映像記録再生装置の一実施の形態の構造を示すブロック図、図３及び図４は、第１実施形態の処理を示すフローチャート、図５は、第１実施形態の処理を説明する説明図である。
【００１２】
（映像記録再生装置の構造）
本発明に係る規格変換処理及び編集処理を行うことができる映像記録再生装置の構造の一例が図２に示され、この映像記録再生装置Ａは、全体の動作をデータバスを介してフラッシュＲＯＭ１７とワークメモリ１８とを伴うメインＭＰＵ１６により制御される。ハードディスクＨＤ、光ディスクＤへの主に映像情報の記録機能のための構成として、チューナ２０とラインインとが与えられるラインセレクタ２１、これから信号が供給されるオーディオＡＤコンバータ２２、ＥＤＯ２５を伴う３ＹＣＤＮＲ２４を介して映像信号が供給されるビデオデコーダ２３、ここからフレーム信号が供給されるＳＤＲＡＭ２７を伴うフレーム同期器２６を有する。更に、オーディオＡＤコンバータ２２からのオーディオ信号をエンコードするオーディオエンコーダ２８と、フレーム同期器２６からの映像信号とを受け、ＭＰＥＧ信号にエンコード処理を施すＳＤＲＡＭ３０を伴ったＭＰＥＧ２エンコーダ２９を有している。更に、記録すべき映像情報を格納する先として、コピープロテクト６３を介するハードディスクドライバＨＤ、更にディスクドライバ６４を介する光ディスクＤを有している。
【００１３】
又、チューナ２０は、タイマＭＰＵ４０の動作制御を受けている。又、同様にディスプレイ５１も、タイマＭＰＵ４０の動作制御を受けてディスプレイＭＰＵ５０で制御される。
【００１４】
更に再生機能のための構成として、映像信号を読み出すべき記憶領域として、先にあげたコピープロテクト６３を介するハードディスクドライバＨＤ、更にディスクドライバ６４を介する光ディスクＤを有している。更に読み出された映像信号を信号処理するＡＴＡＰＩコントローラ６０と、ここから映像信号が供給されこれをデコードするためのＳＤＲＡＭ３２を伴うＭＰＥＧデコーダ３１と、更にＳＤＲＡＭ３６を伴うグラフィック回路３５、この出力が供給されビデオ信号をデコードするビデオデコーダ３４、更にＭＰＥＧデコーダ３１からのオーディオ信号をＤＡ変換するオーディオＤＡコンバータ３３を有するものである。又このような記録機能と再生機能とを仲介する回路としてメインＭＰＵにより制御されるブリッジ回路６１が設けられている。
【００１５】
又更に、オペレーションパネル５２がデータバスを介してメインＭＰＵ１６に接続され、ユーザからの操作を受け付ける。同様に、リモコン１０１からの信号を受けるリモコン受光部５３がデータバスを介してメインＭＰＵ１６に接続される。
【００１６】
リモコン１０１は、図１に示すように、電源スイッチ１０２と、数字キー１０３、モードキー１０４を有している。更に操作のためのキーとして、早送りキー、早戻しキー、再生キー、スキャンキー、停止キー等１０５が設けられている。更に、指定キー１０８と解除キー１０９、ジョグキー１１０が設けられている。更に本発明の特徴として、戻しキー１０６、送りキー１０７が設けられている。
【００１７】
又、先のオペレーションパネル５２においても、少なくともリモコン１０１が有するキーの全ての操作キーがそれぞれ設けられているものである。
【００１８】
（動作）
このような構成の光ディスク装置Ａにおいて、メイン・マイクロプロセッサ（メインＭＰＵ）部１６により全体のブロックが主にフラッシュＲＯＭ１７に格納される動作プログラムに応じて制御され、記録処理、再生処理、更に編集処理やＤＶＤ−ＶＲ規格からＤＶＤ−Ｖ規格への規格変換処理等が行われる。
【００１９】
ここで、ラインインからの信号又はチューナ２０からの信号がラインセレクタ２１に与えられる。ＴＶチューナ部２０からの信号はビデオ信号とオーディオ信号に分離されたのちオーディオ・エンコード部２８、ＭＰＥＧエンコード部２９に供給される。
【００２０】
オーディオ・エンコード部２８ではデジタル・オーディオ信号にＡＣ−３方式またはＭＰＥＧ方式の圧縮を行う。デジタル・オーディオ信号は圧縮を行わないリニアＰＣＭ形式で記録することも可能である。オーディオのチャンネル・モード（モノ／ステレオ／デュアルモノ）はＴＶチューナ部２０で検出可能であり、この情報はタイマＭＰＵ部４０を介してメインＭＰＵ部１０に入力される。オーディオ・エンコード部２８はメインＭＰＵ部１６からのチャンネル・モードの情報に基づいてエンコードを行う。チャンネル・モードが変化した場合には、メインＭＰＵ部１６はこれをオーディオ・エンコード部２８に伝えると共に、この時のＰＴＭをワークＲＡＭ／ＳＤＲＡＭ部１８に記憶しておく。
【００２１】
また、ＭＰＥＧエンコード部２９ではデジタル・ビデオ信号をＭＰＥＧ方式で圧縮し、オーディオ・エンコード部２８の出力と共にＤＶＤ−ＶＲ規格のフォーマットにフォーマット化する。ビデオのアスペクト比は３ＹＣ  ＤＮＲ部２４で検出可能であり、ここで検出されたアスペクト比の情報はメインＭＰＵ部に入力され、ＭＰＥＧエンコード部２９はメインＭＰＵ部からのこの情報に基づきビデオ信号のエンコードを行う。アスペクト比が変化した場合には、メインＭＰＵ部はこれをＭＰＥＧエンコード部２９に伝えると共に、この時のＰＴＭをワークＲＡＭ／ＳＤＲＡＭ部１８に記憶しておく。
【００２２】
ＭＰＥＧエンコード部２９でフォーマット化されたデータはＡＴＡＰＩコントローラ部６０を介してディスクＤ又は記録媒体ＨＤへ記録される。また、記録したデータに関する管理情報はメインＭＰＵ１６で作成されてワークＲＡＭ／ＳＤＲＡＭ部１８に蓄えられたのちにディスクＤ又は記録媒体ＨＤに記録される。
【００２３】
このようにディスクＤや記録媒体ＨＤに記録されたＭＰＥＧ等の映像情報は主映像情報と副映像情報、音声情報等を少なくとも含んでいる。本発明に係る映像再生装置は、上述したようにラインセレクタ２１やチューナ２０から供給されて、ハードディスクドライブＨＤや光ディスクＤに記録された映像情報や、外部から与えられ装着された光ディスクＤであるＤＶＤ（Ｄｉｇｉｔａｌ  Ｖｅｒｓａｔｉｌｅ  Ｄｉｓｋ）の映像情報を、メインＭＰＵ１６の制御下において再生するものである。すなわち、フラッシュＲＯＭ１７等に格納されたプログラムに基づいて、ユーザからのオペレーションパネル５２やリモコン１０１の操作キーの操作に応じて、ＭＰＥＧデコーダ３１の復号処理を経てオーディオ信号及びビデオ信号に分離され再生されるものである。
【００２４】
（本発明に特有の戻しキーの動作）
この再生処理が行われている際の、本発明に特有の戻しキーの押下による処理を図３及び図４のフローチャートと図５の説明図を用いて以下に詳細に説明する。
【００２５】
（主映像に基づく戻し処理）
図３のフローチャートは、主映像の変化点を検出する処理を示すものである。このフローチャートにおいて、ユーザからオペレーションパネル５２又はリモコン１０１を介して映像・音声情報の再生を行うべく、再生キーを押下して指示を受けると（Ｓ１１）、メインＭＰＵ１６は、ディスクドライバ６４に対して再生位置を指定する。ＭＰＥＧデコーダ３１は、光ディスクＤから読み出された信号をディスプレイ５１にて表示可能な映像及び音声情報に復号することにより再生処理が行われる（Ｓ１２）。
【００２６】
次に、主映像の変化点の検出が行われる（Ｓ１３）。この主映像の変化点とは様々な場合が考えられる。すなわち、一つ前のフレームの主映像情報と現在の主映像情報との輝度変化を比較し、一定値以上の変化があると、変化のあった主映像情報のアドレスをワークメモリ１８等に記録しておくものである。これにより、ドラマや映画のカメラが切り替わった個所等を検出することができる。
【００２７】
更にこの変化点の検出は、輝度に限らず、フレーム間のＲＧＢ信号それぞれを比較して一定値以上の変化を検出すると、変化のあった主映像情報のアドレスをワークメモリ１８等に記録しておくものでも可能である。
【００２８】
又、これらの比較処理は、現在のフレームと一つ前のフレームとを比較しつづけるものではなく、一定期間の主映像情報をストアし、これらの輝度やＲＧＢ信号等の変化を観測し、一定値以上の変化のある個所を検出する方法であっても可能である。
【００２９】
又、更に主映像情報そのものを比較処理して、その類似程度を量子化し、一定値以上の相違がある個所のアドレスをワークメモリ１８等に記録しておくものでも可能である。
【００３０】
又、アスペクト比が変化した個所を検出するものであってもよく、この方法により、例えば、映画の領域とコマーシャルの領域とを分離することが可能となる。
【００３１】
次に、再生中にリモコン１０１の戻しキー１０６又はオペレーションパネル５２の押下があると（Ｓ１４）、ユーザの操作がメインＭＰＵ１６へ通知され、メインＭＰＵ１６はＭＰＥＧデコーダ３１とリモコン１０１又はオペレーションパネル５２からの通知に基づいて、記憶されているアドレスを読み出して、光ディスクＤの再生位置をこのアドレスにジャンプするべく制御する（Ｓ１５）。そして、ジャンプしたアドレスから再生を続行するものである（Ｓ１６）。
【００３２】
これらの方法により、主映像の変化を検出することが可能となり、例えば映画であれば、従来のチャプタごとのスキャンキーの送りや戻し処理では得られなかったきめ細かな戻し処理が可能となる。例えば、映画であれば、戻しキー１０６を操作することで、異なるカメラで撮影した映像ごとに映像の再生を戻すことが可能であり、記録された映像を非常に細かく鑑賞することが可能となる。
【００３３】
又、ここで主映像のどのような変化を検出させるかは、オペレーションパネル５２の設定画面から設定することが可能であり、ユーザの意向に応じて戻しキーの機能を細かく設定することができる。
【００３４】
又、ステップＳ１３では、主映像の変化を戻しキー１０６が押下される以前から常に監視し、アドレスを更新しつづけていることで、戻しキー１０６の押下があると瞬時に指定アドレスへジャンプすることができる。しかし、戻しキー１０６の押下があってから、変化点を検出するものであってもよい。この方法によれば、メインＭＰＵ１６等の処理部の負荷を軽減することができると共に、第５実施形態で後述する、送りキー１０７での送り処理にも対応するものであり、同様にユーザの意向に沿ってきめ細かく映像の再生を行うことができる。
【００３５】
（副映像に基づく戻し処理）
図４のフローチャートは、副映像の変化点を検出する処理を示すものである。このフローチャートにおいて、ユーザからオペレーションパネル５２又はリモコン１０１を介して映像・音声情報の再生を行うべく、再生キーを押下して指示を受けると（Ｓ１１）、メインＭＰＵ１６は、ディスクドライバ６４に対して再生位置を指定する。ＭＰＥＧデコーダ３１は、光ディスクＤから読み出された信号をディスプレイ５１にて表示可能な映像及び音声情報に復号することにより再生処理が行われる（Ｓ１２）。
【００３６】
次に、副映像の変化点の検出が行われる（Ｓ１７）。副映像の変化の検出は、様々な場合が同等に可能であるが、ここでは一例として、字幕の場合を例にとって詳細に説明する。すなわち、映画等の映像には、副映像として字幕情報がもうけられており、図５において、現在の再生中の字幕Ｊ０を中心に、一つ前の字幕ＪＲ１、二つ前の字幕ＪＲ２、三つ前の字幕ＪＲ３、一つ先の字幕ＪＦ１、二つ先の字幕ＪＦ２、三つ先の字幕ＪＦ３、四つ先の字幕ＪＦ４等が展開している。これらの副映像情報としての字幕情報を常に検出しておき、字幕の始まる先頭のアドレスを順番にワークメモリ１８等に記録しておくものである。これにより、映画等の台詞が切り替わった個所等を順次検出することができる。
【００３７】
なお、副映像の変化点は字幕のみに限りものではなく、他の情報の変化も同様に本発明の対象とすることができる。
【００３８】
次に、再生中にリモコン１０１の戻しキー１０６又はオペレーションパネル５２の戻しキーの押下があると（Ｓ１４）、ユーザの操作がメインＭＰＵ１６へ通知され、メインＭＰＵ１６はＭＰＥＧデコーダ３１とリモコン１０１又はオペレーションパネル５２からの通知に基づいて、記憶されているアドレスを読み出して、光ディスクＤの再生位置をこのアドレスにジャンプするべく制御する（Ｓ１８）。そして、ジャンプしたアドレスから再生を続行するものである（Ｓ１６）。
【００３９】
これらの方法により、副映像の変化、例えば、字幕の切り換えを検出することが可能となり、例えば映画であれば、従来のチャプタごとのスキャンキーの送りや戻し処理では得られなかった字幕ごとのきめ細かな戻し処理が可能となる。
【００４０】
即ち、映画であれば、戻しキー１０６を操作することで、台詞ごとに映像を戻して確認することができるので、十分理解できなかった台詞などを再度、戻して確認し、映画の内容を細かく鑑賞することが可能となる。
【００４１】
又、ここで主映像と同様に、副映像のどのような変化を検出させるかは、オペレーションパネル５２の設定画面から設定することが可能であり、ユーザの意向に応じて戻しキーの機能を細かく設定することができる。
【００４２】
又、ステップＳ１７では、副映像の変化を戻しキー１０６が押下される以前から常に監視し、アドレスを更新しつづけていることで、戻しキー１０６の押下があると瞬時に指定アドレスへジャンプすることができる。しかし、戻しキー１０６の押下があってから、副映像の変化点を検出するものであってもよい。この方法によれば、台詞ごとに映像を細かく戻ったり先に進めたりすることができるため、例えば映画であれば、もう一度最初から長い映画を見直す必要がなくなり、短い時間で内容を深く理解することが可能となる。
【００４３】
以上説明したように、本実施形態によれば、主映像や副映像の変化点を検出して映像の再生をそこから再開することで、副映像の字幕であれば、映画等の台詞ごとに映像を自由に再生することが可能となる。又、主映像であれば、カメラ等の切り換え個所等を検出することができ、映像全体の流れを短い時間で概観することが可能となる。
【００４４】
＜第２の実施形態＞
第２実施形態は、記録情報の内の音声情報の特異点を検出し、キー操作によりこの特異点を瞬時に呼び出すものである。図６は、本発明に係る映像記録再生装置の第２実施形態の処理を示すフローチャートである。
【００４５】
本発明に係る第２実施形態は、図６のフローチャートにおいて、ユーザからオペレーションパネル５２又はリモコン１０１を介して映像・音声情報の再生を行うべく、再生キーを押下して指示を受けると（Ｓ１１）、メインＭＰＵ１６は、ディスクドライバ６４に対して再生位置を指定する。ＭＰＥＧデコーダ３１は、光ディスクＤから読み出された信号をディスプレイ５１にて表示可能な映像及び音声情報に復号することにより再生処理が行われる（Ｓ１２）。
【００４６】
次に、音声情報の特異点の検出が行われる（Ｓ２２）。音声情報の特異点の検出は、様々な場合が同等に可能であるが、ここでは、特異点の一例として、音声情報が無音である個所を検出する場合を説明する。すなわち、再生処理と共に、常に音声情報のレベルが検出され、無音である個所のアドレスがワークメモリ１８等に記録され、更新されつづけるものである。
【００４７】
ここで、音声情報の特異点は、完全な無音だけに限らずに、音声レベルが一定値以下である個所を特異点とするものでも可能である。更に、一定期間の中で最も音声レベルが低い個所を特異点とすることも可能である。
【００４８】
次に、再生中にリモコン１０１の戻しキー１０６又はオペレーションパネル５２の押下があると（Ｓ１４）、ユーザの操作がメインＭＰＵ１６へ通知され、メインＭＰＵ１６はＭＰＥＧデコーダ３１とリモコン１０１又はオペレーションパネル５２からの通知に基づいて、記憶されているアドレスを読み出して、光ディスクＤの再生位置をこのアドレスにジャンプするべく制御する（Ｓ２３）。そして、ジャンプしたアドレスから再生を続行するものである（Ｓ１６）。
【００４９】
これらの方法により、音声情報の特異点、例えば、会話の途切れや、テレビ番組であれば、コマーシャルの開始個所、終了個所等、映像内容の区切りのよい個所が検出される。又、映画であれば、戻しキー１０６を操作することで、会話ごとに映像を戻して確認することも可能となる。
【００５０】
従って、従来のスキャンキーによるチャプタ毎の映像の戻し・送りでは得られなかった細かい映像の再生処理の操作が可能となる。
【００５１】
又、ここで第１実施形態と同容に、検出すべき特異点をオペレーションパネル５２の設定画面から設定することが可能であり、ユーザの意向に応じて戻しキーの機能を細かく設定することができる。
【００５２】
又、ステップＳ２２では、音声情報の特異点を戻しキー１０６が押下される以前から常に監視し、アドレスを更新しつづけていることで、戻しキー１０６の押下があると瞬時に指定アドレスへジャンプすることができる。しかし、戻しキー１０６の押下があってから、音声情報の特異点を検出するものであってもよい。
【００５３】
この方法は具体的には，無音等の特異点の検出を、ユーザが再生位置を戻しキー１０６の押下が行われると、メインＭＰＵ１６は現在の再生位置から一定時間（例：１秒）遡った位置をディスクドライバ６４に指定する。ＭＰＥＧデコーダ３１は読み出された信号のうち、音声情報を復号する。その結果が無音又は無音に近いと判断される場合は、メインＭＰＵ１６はその位置を新たな再生位置とし、再生を開始する。もし復号した音声が無音でない場合は、メインＭＰＵ１６は更に一定時間（前回と同じ）遡った位置をディスクドライバ６４に指定する。これを音声が無音である再生位置を検出するまで繰り返すことにより、音声が無音である位置から再生を開始することが可能となる。
【００５４】
又、この方法では、戻しキー１０６のみならず、送りキーについても、音声情報の特異点へと再生位置を変更することが可能となるため、従来装置のスキャンキーや早戻しキー、早送りキーでは行うことができない音声情報の特異点を検出することで、映像内容の小さな切り換え個所を検出してそこから再生し直すことが可能となる。
【００５５】
以上説明したように第２実施形態によれば、戻しキーの操作により、音声が無音等の特異点を検出して新たな再生位置として再生を開始することで、会話の切れ目や、番組とＣＭの切り換え部分へと、再生位置を容易に戻すことが可能となる。
【００５６】
＜第３の実施形態＞
第３実施形態は、戻しキー等による移動量を設定された値により決定するものである。図７は、本発明に係る映像記録再生装置の第３実施形態に係る時間設定の処理を示すフローチャート、図８は、第３実施形態の処理を示すフローチャートである。
【００５７】
図７のフローチャートにおいて、戻しキー１０６又は送りキー１０７により移動される値の設定モードが、ユーザの操作によりオペレーションパネル５２等を介して選ばれると（Ｓ３１）、ユーザはディスプレイ５１の操作画面の指示に従って、移動に応じた時間ｔＳを設定する（Ｓ３２）。この設定された時間ｔＳは、例えば、ワークメモリ１８等に記録され保存される。
【００５８】
次に、図８のフローチャートにおいて、ユーザからオペレーションパネル５２又はリモコン１０１を介して映像・音声情報の再生を行うべく、再生キーを押下して指示を受けると（Ｓ１１）、メインＭＰＵ１６は、ディスクドライバ６４に対して再生位置を指定する。ＭＰＥＧデコーダ３１は、光ディスクＤから読み出された信号をディスプレイ５１にて表示可能な映像及び音声情報に復号することにより再生処理が行われる（Ｓ１２）。
【００５９】
次に、再生中にリモコン１０１の戻しキー１０６又はオペレーションパネル５２の押下があると（Ｓ１４）、ユーザの操作がメインＭＰＵ１６へ通知され、メインＭＰＵ１６はＭＰＥＧデコーダ３１とリモコン１０１又はオペレーションパネル５２からの通知に基づいて、記憶されている移動時間ｔＳに応じたアドレスに光ディスクＤの再生位置をジャンプするべく制御する（Ｓ１９）。そして、ジャンプしたアドレスから再生を続行するものである（Ｓ１６）。
【００６０】
これらの方法により、ユーザの希望して設定した、例えば、１秒や５秒といった短時間から、コマーシャル等を意識した１０秒、２０秒といった移動時間等、自由な設定時間に応じて、戻しキー１０６及び送りキー１０７を用いて、きめ細かな再生個所の移動を行うことができる。又、戻しキー１０６及び送りキー１０７を例えば５回、押すことによって、設定時間の５倍の時間をメインＭＰＵ１６で計算し、この計算結果に応じたアドレスを算出し、これに応じて再生個所の移動することにより、希望の個所へ容易に移動することが可能となる。
【００６１】
従って、第３実施形態によれば、従来のスキャンキーによるチャプタ毎の映像の戻し・送りでは得られなかった細かい映像の再生位置の指定が可能となる。
【００６２】
＜第４の実施形態＞
第４実施形態は、戻しキーや送りキーの押下時間を計測し、この値に応じて再生位置の移動量を決定するものである。図９は、本発明に係る映像記録再生装置の第４実施形態の処理を示すフローチャートである。
【００６３】
第４実施形態は、図９フローチャートにおいて、ユーザからオペレーションパネル５２又はリモコン１０１を介して映像・音声情報の再生を行うべく、再生キーを押下して指示を受けると（Ｓ１１）、メインＭＰＵ１６は、ディスクドライバ６４に対して再生位置を指定する。ＭＰＥＧデコーダ３１は、光ディスクＤから読み出された信号をディスプレイ５１にて表示可能な映像及び音声情報に復号することにより再生処理が行われる（Ｓ１２）。
【００６４】
次に、再生中にリモコン１０１の戻しキー１０６及び送りキー１０７、オペレーションパネル５２の戻しキー１０６及び送りキー１０７の押下があると（Ｓ１４）、ユーザの操作がメインＭＰＵ１６へ通知され、メインＭＰＵ１６は、押下されている時間ｔＤ（キーが押されてから離されるまでの時間）を計測する（Ｓ２０）。そして、これに応じたアドレスに光ディスクＤの再生位置をジャンプするべく制御する（Ｓ２１）。そして、ジャンプしたアドレスから再生を続行するものである（Ｓ１６）。
【００６５】
又、ここで戻しキー１０６及び送りキー１０７の押下時間ｔＤに対応して、再生時間の移動量をどう変化させるか、例えば、押下時間ｔＤ２秒に対して、移動される再生時間がその１０倍の２０秒分移動するか等の移動係数が、オペレーションパネル５２の設定画面から設定することが可能である。これにより、ユーザの意向に応じて戻しキー及び送りキーの機能を細かく設定することができる。
【００６６】
従って、第４実施形態によれば、従来のスキャンキーによるチャプタ毎の映像の戻し・送りでは得られなかった、ユーザのキーの押下時間に比例した直感的な映像の再生位置の指定が可能となる。
【００６７】
＜第５の実施形態＞
第５実施形態は、戻しキー１０６だけではなく送りキー１０７についても、特に第１実施形態及び第２実施形態に示される動作を行わせるものである。
【００６８】
すなわち、第１実施形態であれば主映像・副映像の変化点のアドレス、第２実施形態であれば音声情報の特異点のアドレスを、再生に応じて常に監視し、アドレスを更新し記録することで瞬時の移動が可能となる。しかし、戻しキー１０６や送りキー１０７の押下があってから変化点を検出する方法によれば、まだ再生されていない映像情報や音声情報についても、移動すべき個所の検出が可能となるため、戻しキー１０６と同等に送りキー１０７の操作を行うことが可能となる。
【００６９】
この方法により、例えば、図５の字幕に対して、戻しキー１０６や送りキー１０７の押下回数に応じて、自由に字幕の開始位置まで再生画像を移動させることができる。すなわち、戻しキー１０６を一度押すことで字幕ＪＲ１へ（Ｓ４１）、戻しキー１０６を二度押すことで字幕ＪＲ２へ（Ｓ４２）、戻しキー１０６を三度押すことで字幕ＪＲ３へ（Ｓ４３）、再生位置を移動することができる。同様に、送りキー１０７を一度押すことで字幕ＪＦ１へ（Ｓ４４）、送りキー１０７を二度押すことで字幕ＪＦ２へ（Ｓ４５）、送りキー１０７を三度押すことで字幕ＪＦ３へ（Ｓ４６）、送りキー１０７を四度押すことで字幕ＪＦ４へ（Ｓ４７）、再生位置を移動することができる。
【００７０】
このように移動先のアドレスを検出する方法を考慮することで、戻しキー１０６と同等の働きをもつ送りキー１０７を可能とするものであり、両者のキーを総合的に操作することで、従来の早送りキーや、早戻しキー、スキャンキーでは得られなかった直感的なきめ細かな再生位置への移動が可能となる。これにより、鑑賞しようとする映像情報の内容に応じた再生位置へと瞬時に移動することができ、ユーザは直感的なキーの操作により希望する部分の再生が可能となるため、短時間で映像内容の深い理解を得ることができる映像再生装置を提供することができる。
【００７１】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【００７２】
例えば、上述した実施形態では、ハードディスクやチューナを内蔵した映像記録再生装置を例にあげて説明しているが、単独の光ディスク再生専用装置に対しても、同等の趣旨で本発明の適用が可能である。
【００７３】
【発明の効果】
以上詳述したように本発明によれば、映像情報や音声情報等の変化等に応じて、直感的なキーの操作により希望する部分の再生が瞬時に可能となるため、短時間で映像内容の深い理解を得ることができる映像再生装置を提供することができる。
【図面の簡単な説明】
【図１】本発明に係る戻しキー及び送りキーを有するリモコンの一実施の形態を示す外観図。
【図２】本発明に係る映像記録再生装置の一実施の形態の構造を示すブロック図。
【図３】本発明に係る映像記録再生装置の第１実施形態の処理を示すフローチャート。
【図４】本発明に係る映像記録再生装置の第１実施形態の処理を示すフローチャート。
【図５】本発明に係る映像記録再生装置の第１実施形態の処理を説明する説明図。
【図６】本発明に係る映像記録再生装置の第２実施形態の処理を示すフローチャート。
【図７】本発明に係る映像記録再生装置の第３実施形態に係る時間設定の処理を示すフローチャート。
【図８】本発明に係る映像記録再生装置の第３実施形態の処理を示すフローチャート。
【図９】本発明に係る映像記録再生装置の第４実施形態の処理を示すフローチャート。
【符号の説明】
Ａ…映像記録再生装置、ＨＤ…ハードディスク、Ｄ…光ディスク、１６…メインＭＰＵ、１７…フラッシュＲＯＭ、１８…ワークメモリ、２０…チューナ、２１…ラインセレクタ、２２…オーディオＡＤコンバータ、２３…ビデオデコーダ、２５…ＥＤＯ、２６…フレーム同期器、２７…ＳＤＲＡＭ、２８…オーディオエンコーダ、２９…ＭＰＥＧ２エンコーダ、３１…ＭＰＥＧデコーダ、３３…オーディオＤＡコンバータ、３４…ビデオデコーダ、５２…オペレーションパネル、５３…リモコン受光部、６０…ＡＴＡＰＩコントローラ、６１…ブリッジ回路、６３…コピープロテクト、６４…ディスクドライバ、１０１…リモコン、１０６…戻しキー、１０７…送りキー。
【図１】
0003631475.tif 000002
【図２】
0003631475.tif 000003
【図３】
0003631475.tif 000004
【図４】
0003631475.tif 000005
【図５】
0003631475.tif 000006
【図６】
0003631475.tif 000007
【図７】
0003631475.tif 000008
【図８】
0003631475.tif 000009
【図９】
0003631475.tif 000010